(57)【特許請求の範囲】
【請求項１】
コンテンツデータを再生する際に、該コンテンツデータに先だって再生される位置に、該コンテンツデータを暗号化するためのコンテンツ秘匿用暗号鍵が埋めこまれた広告データが記録され、
上記コンテンツデータは、上記コンテンツ秘匿用暗号鍵によって暗号化された状態で記録されており、
再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるようになされており、
上記広告データは、複数個存在し、
一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、
上記コンテンツデータの暗号を解除するために、上記複数の広告データ全ての再生を必要としたデータ記録媒体。
【請求項２】
コンテンツデータと、該コンテンツデータを暗号化するためのコンテンツ秘匿用暗号鍵を含む広告データとが入力されるステップと、
上記コンテンツ秘匿用暗号鍵に基づいて上記コンテンツデータを暗号化するステップと、
上記コンテンツ秘匿用暗号鍵を含む広告データと上記暗号化されたコンテンツデータとを記録する際に、該コンテンツデータに先だって再生される位置に該広告データを記録するステップとを有し、
再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるように、上記コンテンツデータと上記広告データを記録するようにし、
上記広告データは、複数個存在し、
一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵を埋め込むようにし、
上記コンテンツデータの暗号を解除するために、上記複数の広告データ全ての再生が必要となるようにしたデータ記録方法。
【請求項３】
コンテンツデータと、該コンテンツデータを暗号化するためのコンテンツ秘匿用暗号鍵を含む広告データとが入力され、上記コンテンツ秘匿用暗号鍵に基づいて上記コンテンツデータを暗号化する暗号化手段と、
上記コンテンツ秘匿用暗号鍵を含む広告データと上記暗号化されたコンテンツデータとを記録する際に、該コンテンツデータに先だって再生される位置に該広告データを記録する記録手段とを有し、
上記記録手段は、再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるように、上記コンテンツデータと上記広告データを記録し、
上記広告データは、複数個存在し、
上記暗号化手段は、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込むようにし、
上記コンテンツデータの暗号を解除するためには、上記複数の広告データ全ての再生が必要となるようにしたデータ記録装置。
【請求項４】
コンテンツデータを再生する際に、該コンテンツデータに先だって再生される位置に、該コンテンツデータを暗号化するためのコンテンツ秘匿用暗号鍵が埋めこまれた広告データが記録されたデータ記録媒体から該暗号化されたコンテンツデータを読み出して再生するデータ再生方法であって、
コンテンツデータの再生に先行して、上記広告データを再生して上記コンテンツ秘匿用暗号鍵を抽出するステップと、
上記抽出されたコンテンツ秘匿用暗号鍵に基づいて上記暗号化されたコンテンツデータの暗号を解除するステップと、
上記暗号が解除されたコンテンツデータを再生するステップとを有し、
上記記録媒体には、上記広告データが複数個存在しており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
再生時には、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除するデータ再生方法。
【請求項５】
コンテンツデータを再生する際に、該コンテンツデータに先だって再生される位置に、該コンテンツデータを暗号化するためのコンテンツ秘匿用暗号鍵が埋めこまれた広告データが記録されたデータ記録媒体から該暗号化されたコンテンツデータを読み出して再生するデータ再生装置であって、
コンテンツデータの再生に先行して、上記広告データを再生して上記コンテンツ秘匿用暗号鍵を抽出する抽出手段と、
上記抽出されたコンテンツ秘匿用暗号鍵に基づいて上記暗号化されたコンテンツデータの暗号を解除する暗号解除手段と、
上記暗号が解除されたコンテンツデータを再生する再生手段とを有し、
上記記録媒体には、上記広告データが複数個存在しており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
上記暗号解除手段は、再生時、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除するデータ再生装置。
【請求項６】
再生状態を検出する再生状態検出手段を有し、
上記再生状態検出手段により、上記広告データが正常に再生されないことを検出したときには、データ再生停止及び／又は警告表示を行う請求項５記載のデータ再生装置。
【請求項７】
コンテンツデータと、該コンテンツデータを暗号化するためのコンテンツ秘匿用暗号鍵を含む広告データとを送信するデータ送信方法であって、
上記コンテンツ秘匿用暗号鍵に基づいて上記コンテンツデータを暗号化するステップと、
上記コンテンツ秘匿用暗号鍵を含む広告データと上記暗号化されたコンテンツデータとを送出するステップとを有し、
上記送出するデータは、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが再生されるようになされ、
上記広告データは、複数個存在し、
一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、
上記コンテンツデータの暗号を解除するためには、上記複数の広告データ全ての再生を必要としているデータ送信方法。
【請求項８】
コンテンツデータと、該コンテンツデータを暗号化するためのコンテンツ秘匿用暗号鍵を含む広告データとを送信するデータ送信装置であって、
上記コンテンツ秘匿用暗号鍵に基づいて上記コンテンツデータを暗号化する暗号化手段と、
上記コンテンツ秘匿用暗号鍵を含む広告データと上記暗号化されたコンテンツデータとを送出する送出手段とを有し、
上記送出手段が送出するデータは、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが再生されるようになされ、
上記広告データは、複数個存在し、
一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、
上記コンテンツデータの暗号を解除するためには、上記複数の広告データ全ての再生を必要としているデータ送信装置。
【請求項９】
コンテンツデータを暗号化するためのコンテンツ秘匿用暗号鍵を含む広告データと暗号化されたコンテンツデータとを受信するデータ受信方法であって、
受信されたデータから、コンテンツデータの再生に先行して、上記広告データを再生して上記コンテンツ秘匿用暗号鍵を抽出するステップと、
上記抽出されたコンテンツ秘匿用暗号鍵に基づいて上記暗号化されたコンテンツデータの暗号化を解除するステップと、
上記暗号が解除されたコンテンツデータを再生するステップと有し、
上記広告データは複数個存在しており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
再生時には、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除するデータ受信方法。
【請求項１０】
コンテンツデータを暗号化するためのコンテンツ秘匿用暗号鍵を含む広告データと暗号化されたコンテンツデータとを受信するデータ受信装置であって、
受信されたデータから、コンテンツデータの再生に先行して、上記広告データを再生して上記コンテンツ秘匿用暗号鍵を抽出する抽出手段と、
上記抽出されたコンテンツ秘匿用暗号鍵に基づいて上記暗号化されたコンテンツデータの暗号を解除する暗号解除手段と、
上記暗号が解除されたコンテンツデータを再生する再生手段とを有し、
上記広告データは複数個存在しており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、
上記暗号解除手段は、再生時、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除するデータ受信装置。
【請求項１１】
再生状態を検出する再生状態検出手段を有し、
上記再生状態検出手段により、上記広告データが正常に再生されないことを検出したときには、データ再生停止及び／又は警告表示を行う請求項１０記載のデータ受信装置。
【発明の詳細な説明】
【０００１】
【発明の属する技術分野】
本発明は、所定データに含ませたコンテンツ秘匿用暗号鍵に基づいてコンテンツデータを暗号化し、広告データを再生することによってコンテンツ秘匿用暗号鍵を抽出し暗号化されているコンテンツデータの再生を可能としたデータ記録媒体、データ記録方法及び装置、データ再生方法及び装置、データ送信方法及び装置、並びに、データ受信方法及び装置に関する。
【０００２】
【従来の技術】
スポンサとして協力のあった会社の広告等の情報を添付して映画、ビデオ映画又はテレビ番組等のコンテンツデータは、テレビジョン放送、ビデオテープカセット、ＤＶＤ（digital versatile disk）等の記録媒体を用いて頒布されている。例えば、広告付きでコンテンツが記録された記録媒体は、広告をコンテンツと共に記録することで、低価格で視聴者に提供されている。
【０００３】
また、近年、音声データ、画像データをはじめとするコンテンツデータは、所謂インターネットの普及によって、ネットワークを介して配信されるようにもなっている。これに伴って、インターネットのホームページ上には、バナー広告が設けられている。このバナー広告は、ホームページの一部に宣伝のために設けられる広告である。例えば、バナー広告は、利用者がマウス等によりクリック（選択）することによって、宣伝用のウェブページが新たに開かれるようになっている。このとき、バナー広告のクリックされる回数、すなわち利用者のアクセス回数は広告の効果を示す指標ともなっている。
【０００４】
【発明が解決しようとする課題】
ところで、ビデオテープレコーダ、ハードディスクレコーダ、光ディスクレコーダ等の記録装置の普及に伴い、視聴者は、記録媒体に記録された映画等のコンテンツを好みに合わせて試聴できる。具体的に、視聴者は、読み飛ばし、ＣＭキャンセラ等の記録装置の種々の機能を利用して、コンテンツのみを視聴できるようにもなった。例えば、上述したように記録媒体には、テレビジョン放送により放送された映画を広告を含めて記録することができるが、視聴者は、映画（本編）を鑑賞する際、本編に関係のない広告を再生せずに本編のみを再生することもできる。これでは、広告等のもたらす効果を活かすことができない。このようなことは映画や音楽等のコンテンツに添付される著作権情報（著作権管理データ）についても同様にいえることであり、視聴者は、本編に関係のない著作権情報を再生せずに本編のみを再生することができる。
【０００５】
また、インターネットのバナー広告は、ユーザに対して選択操作（クリック）を強制することができないため、バナー広告の効果は、ユーザの趣向に依存するものとなっていた。
【０００６】
また、コンテンツを配信する方法としては、暗号化されたコンテンツをインターネット等を介して各端末装置に配信し、別途、このコンテンツの視聴希望者に課金すると共に暗号鍵を提供する方法がある。暗号鍵を視聴希望者に提供するときには、暗号鍵のみをインターネット等を介して提供するのみであって、この暗号鍵には、何ら付加価値が付加されていない。
【０００７】
そこで、本発明の目的は、コンテンツデータを再生するために必ず再生が必要な広告データに付加価値を加えることで、コンテンツに添付される広告等の効果を高めることができるデータ記録媒体、データ記録方法及び装置、データ再生方法及び装置、データ送信方法及び装置、並びに、データ受信方法及び装置を提供することにある。
【０００８】
【課題を解決するための手段】
本発明に係るデータ記録媒体は、上述の課題を解決するために、コンテンツデータを再生する際に、該コンテンツデータに先だって再生される位置に、該コンテンツデータを暗号化するためのコンテンツ秘匿用暗号鍵が埋めこまれた広告データが記録され、上記コンテンツデータは、上記コンテンツ秘匿用暗号鍵によって暗号化された状態で記録されており、再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるようになされている。上記広告データは、複数個存在し、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、上記コンテンツデータの暗号を解除するために、上記複数の広告データ全ての再生を必要としている。
【０００９】
このようなデータ記録媒体により、例えば、データ再生装置は、広告データを再生してコンテンツ秘匿用暗号鍵を入手して、入手したコンテンツ秘匿用暗号鍵に基づいてコンテンツの暗号を解除して再生する。これにより、コンテンツデータに先行して必ず広告データが再生されるようになる。
【００１０】
また、本発明に係るデータ記録方法は、上述の課題を解決するために、コンテンツデータと、該コンテンツデータを暗号化するためのコンテンツ秘匿用暗号鍵を含む広告データとが入力されるステップと、上記コンテンツ秘匿用暗号鍵に基づいて上記コンテンツデータを暗号化するステップと、上記コンテンツ秘匿用暗号鍵を含む広告データと上記暗号化されたコンテンツデータとを記録する際に、該コンテンツデータに先だって再生される位置に該広告データを記録するステップとを有する。再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるように、上記コンテンツデータと上記広告データを記録するようにする。上記広告データは、複数個存在し、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵を埋め込むようにし、記コンテンツデータの暗号を解除するために、上記複数の広告データ全ての再生が必要となるようになっている。
【００１１】
このようなデータ記録方法によりデータが記録されたとき、例えば、データ再生装置は、広告データを再生してコンテンツ秘匿用暗号鍵を入手して、入手したコンテンツ秘匿用暗号鍵に基づいてコンテンツの秘匿を解除して再生する。これにより、コンテンツデータに先行して必ず広告データが再生されるようになる。
【００１２】
また、本発明に係るデータ記録装置は、上述の課題を解決するために、コンテンツデータと、該コンテンツデータを暗号化するためのコンテンツ秘匿用暗号鍵を含む広告データとが入力され、上記コンテンツ秘匿用暗号鍵に基づいて上記コンテンツデータを暗号化する暗号化手段と、上記コンテンツ秘匿用暗号鍵を含む広告データと上記暗号化されたコンテンツデータとを記録する際に、該コンテンツデータに先だって再生される位置に該広告データを記録する記録手段とを有する。上記記録手段は、再生時、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが出力されるように、上記コンテンツデータと上記広告データを記録し、上記広告データは、複数個存在し、上記暗号化手段は、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込むようにし、上記コンテンツデータの暗号を解除するためには、上記複数の広告データ全ての再生が必要となるようになっている。
【００１３】
このような構成を備えるデータ記録装置によりデータが記録されたとき、例えば、データ再生装置は、広告データを再生してコンテンツ秘匿用暗号鍵を入手して、入手したコンテンツ秘匿用暗号鍵に基づいてコンテンツの暗号を解除して再生する。これにより、コンテンツデータに先行して必ず広告データが再生されるようになる。
【００１４】
また、本発明に係るデータ再生方法は、上述の課題を解決するために、コンテンツデータを再生する際に、該コンテンツデータに先だって再生される位置に、該コンテンツデータを暗号化するためのコンテンツ秘匿用暗号鍵が埋めこまれた広告データが記録されたデータ記録媒体から該暗号化されたコンテンツデータを読み出して再生するデータ再生方法であって、コンテンツデータの再生に先行して、上記広告データを再生して上記コンテンツ秘匿用暗号鍵を抽出するステップと、上記抽出されたコンテンツ秘匿用暗号鍵に基づいて上記暗号化されたコンテンツデータの暗号を解除するステップと、上記暗号が解除されたコンテンツデータを再生するステップとを有する。上記記録媒体には、上記広告データが複数個存在しており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれている。再生時には、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除する。
【００１５】
このようなデータ再生方法は、コンテンツデータの再生に先行して、広告データを再生してコンテンツ秘匿用暗号鍵を抽出し、抽出されたコンテンツ秘匿用暗号鍵に基づいて暗号化されたコンテンツデータの暗号を解除し、暗号が解除されたコンテンツデータを再生する。すなわち、コンテンツデータに先行して必ず広告データが再生されるようになる。
【００１６】
また、本発明に係るデータ再生装置は、上述の課題を解決するために、コンテンツデータを再生する際に、該コンテンツデータに先だって再生される位置に、該コンテンツデータを暗号化するためのコンテンツ秘匿用暗号鍵が埋めこまれた広告データが記録されたデータ記録媒体から該暗号化されたコンテンツデータを読み出して再生するデータ再生装置であって、コンテンツデータの再生に先行して、上記広告データを再生して上記コンテンツ秘匿用暗号鍵を抽出する抽出手段と、上記抽出されたコンテンツ秘匿用暗号鍵に基づいて上記暗号化されたコンテンツデータの暗号を解除する暗号解除手段と、上記暗号が解除されたコンテンツデータを再生する再生手段とを有する。上記記録媒体には、上記広告データが複数個存在しており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、上記暗号解除手段は、再生時、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除する。
【００１７】
このような構成を備えるデータ再生装置は、コンテンツデータの再生に先行して、広告データを再生してコンテンツ秘匿用暗号鍵を抽出し、抽出されたコンテンツ秘匿用暗号鍵に基づいて暗号化されたコンテンツデータの暗号を解除し、暗号が解除されたコンテンツデータを再生する。すなわち、コンテンツデータに先行して必ず広告データが再生されるようになる。
【００１８】
また、本発明に係るデータ送信方法は、上述の課題を解決するために、コンテンツデータと、該コンテンツデータを暗号化するためのコンテンツ秘匿用暗号鍵を含む広告データとを送信するデータ送信方法であって、上記コンテンツ秘匿用暗号鍵に基づいて上記コンテンツデータを暗号化するステップと、上記コンテンツ秘匿用暗号鍵を含む広告データと上記暗号化されたコンテンツデータとを送出するステップとを有する。上記送出するデータは、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが再生されるようになされ、上記広告データは、複数個存在し、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、上記コンテンツデータの暗号を解除するためには、上記複数の広告データ全ての再生を必要としている。
【００１９】
このようなデータ送信方法により送信されたとき、例えば、データ受信装置は、受信した広告データを再生してコンテンツ秘匿用暗号鍵を入手して、入手したコンテンツ秘匿用暗号鍵に基づいて送信されてきたコンテンツの暗号を解除して再生する。これにより、コンテンツデータに先行して必ず広告データが再生されるようになる。
【００２０】
また、本発明に係るデータ送信装置は、上述の課題を解決するために、コンテンツデータと、該コンテンツデータを暗号化するためのコンテンツ秘匿用暗号鍵を含む広告データとを送信するデータ送信装置であって、上記コンテンツ秘匿用暗号鍵に基づいて上記コンテンツデータを暗号化する暗号化手段と、上記コンテンツ秘匿用暗号鍵を含む広告データと上記暗号化されたコンテンツデータとを送出する送出手段とを有する。上記送出手段が送出するデータは、上記広告データが再生されて上記コンテンツ秘匿用暗号鍵が抽出され、次いで、該抽出されたコンテンツ秘匿用暗号鍵によって上記コンテンツデータの暗号が解除されて、上記コンテンツデータが再生されるようになされ、上記広告データは、複数個存在し、一の広告データに、上記コンテンツ秘匿用暗号鍵を埋め込み、該一の広告データを、該一の広告データの暗号鍵で暗号化し、他の広告データに、該一の広告データの暗号鍵を埋め込み、該他の広告データを、該他の広告データの暗号鍵で暗号化し、更なる他の広告データに、該他の広告データの暗号鍵を埋め込み、全ての広告データに、暗号鍵が埋め込まれており、上記コンテンツデータの暗号を解除するためには、上記複数の広告データ全ての再生を必要としている。
【００２１】
このようなデータ送信装置により送信されたとき、例えば、データ受信装置は、受信した広告データを再生してコンテンツ秘匿用暗号鍵を入手して、入手したコンテンツ秘匿用暗号鍵に基づいて送信されてきたコンテンツの暗号を解除して再生する。これにより、コンテンツデータに先行して必ず広告データが再生されるようになる。
【００２２】
また、本発明に係るデータ受信方法は、上述の課題を解決するために、コンテンツデータを暗号化するためのコンテンツ秘匿用暗号鍵を含む広告データと暗号化されたコンテンツデータとを受信するデータ受信方法であって、受信されたデータから、コンテンツデータの再生に先行して、上記広告データを再生して上記コンテンツ秘匿用暗号鍵を抽出するステップと、上記抽出されたコンテンツ秘匿用暗号鍵に基づいて上記暗号化されたコンテンツデータの暗号化を解除するステップと、上記暗号が解除されたコンテンツデータを再生するステップと有する。上記広告データは複数個存在しており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、再生時には、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除する。
【００２３】
このようなデータ受信方法は、受信したコンテンツデータの再生に先行して、広告データを再生してコンテンツ秘匿用暗号鍵を抽出し、抽出されたコンテンツ秘匿用暗号鍵に基づいて秘匿されたコンテンツデータの暗号を解除し、暗号が解除されたコンテンツデータを再生する。すなわち、コンテンツデータに先行して必ず広告データが再生されるようになる。
【００２４】
また、本発明に係るデータ受信装置は、上述の課題を解決するために、コンテンツデータを暗号化するためのコンテンツ秘匿用暗号鍵を含む広告データと暗号化されたコンテンツデータとを受信するデータ受信装置であって、受信されたデータから、コンテンツデータの再生に先行して、上記広告データを再生して上記コンテンツ秘匿用暗号鍵を抽出する抽出手段と、上記抽出されたコンテンツ秘匿用暗号鍵に基づいて上記暗号化されたコンテンツデータの暗号を解除する暗号解除手段と、上記暗号が解除されたコンテンツデータを再生する再生手段とを有する。上記広告データは複数個存在しており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、一の広告データに、上記コンテンツ秘匿用暗号鍵が埋め込まれ、該一の広告データが、該一の広告データの暗号鍵で暗号化され、他の広告データに、該一の広告データの暗号鍵が埋め込まれ、該他の広告データが、該他の広告データの暗号鍵で暗号化され、更なる他の広告データに、該他の広告データの暗号鍵が埋め込まれ、全ての広告データに、暗号鍵が埋め込まれており、上記暗号解除手段は、再生時、上記更なる他の広告データに埋め込まれた上記他の広告データの暗号鍵で上記他の広告データの暗号を解除して上記一の広告データの暗号鍵を抽出し、該一の広告データの暗号鍵で上記一の広告データの暗号を解除して上記コンテンツ秘匿用暗号鍵を抽出し、該コンテンツ秘匿用暗号鍵で上記暗号化されたコンテンツデータの暗号を解除する。
【００２５】
このようなデータ受信装置は、受信したコンテンツデータの再生に先行して、広告データを再生してコンテンツ秘匿用暗号鍵を抽出し、抽出されたコンテンツ秘匿用暗号鍵に基づいて暗号化されたコンテンツデータの暗号を解除し、暗号が解除されたコンテンツデータを再生する。これにより、コンテンツデータに先行して必ず広告データが再生されるようになる。
【００３７】
【発明の実施の形態】
以下、本発明の実施の形態について、図面を参照して詳細に説明する。この実施の形態では、本発明を、記録装置、再生装置に適用したものである。
（１）本発明を適用した記録装置
先ず、図１に示すように、本発明を適用した記録装置１０は、所定データである広告データにコンテンツデータの暗号鍵を埋め込む暗号鍵埋め込み部１１と、ＭＰＥＧ２（Moving Picture Experts Group 2）に準拠してビデオデータ等をエンコードするエンコーダ１２と、広告データに埋め込む暗号鍵でコンテンツデータを暗号化する暗号化部１３と、コンテンツデータや広告データを時分割多重するマルチプレクサ１４と、コンテンツデータや広告データにエラー訂正符号化処理を施すエラー訂正部１５と、コンテンツデータや広告データに変調処理を施す変調部１６と、ディスク２００にコンテンツデータや広告データを記録するための記録処理を施す信号記録部１８を備える。信号記録部１８は、例えば、光学ヘッド１９、スピンドルモータ２０等を備える。
【００３８】
このような記録装置１０には、コンテンツデータ（例えば映像データ）と、このコンテンツデータを秘匿、例えば暗号化するためのコンテンツ秘匿用データとなる暗号鍵を含む所定データ（広告データ）とが入力される。暗号化部１３は、広告データの一部である暗号鍵に基づいてコンテンツデータを秘匿、例えば暗号化する秘匿手段となる。また、マルチプレクサ１４、エラー訂正部１５、変調部１６、アンプ１７及び信号記録部１８は、暗号鍵を含む広告データと暗号化されたコンテンツデータとを記録媒体である例えばディスク２００に記録する記録手段となる。そして、暗号鍵は、再生装置で広告データが再生されることによって抽出されるものであり、この暗号鍵によって、コンテンツデータは、暗号解読が可能となる。
【００３９】
また、この記録装置１０は、図２に示すような処理を実行する。記録装置１０は、ステップＳ１において、暗号鍵に基づいてコンテンツデータを暗号化して、続くステップＳ２において、暗号鍵を広告データに埋め込み、続くステップＳ３において、暗号鍵を含む広告データと暗号化されたコンテンツデータとをディスク２００に記録する。以下、記録装置１０について詳細を説明する。
【００４０】
コンテンツデータは、ＭＰＥＧ２に準拠した方式で符号化するために、ＭＰＥＧ２エンコーダ１２に入力される。また、暗号化部１３には、所定データである広告データが入力される。そして、映画等の映像データのコンテンツデータを暗号化するための暗号鍵（コンテンツ秘匿用データ）は、広告データに暗号鍵を埋め込むため暗号鍵埋め込み部１１に入力されると共に、コンテンツデータを暗号化するため暗号化部１３に入力される。
【００４１】
暗号鍵埋め込み部１１は、暗号鍵を広告データの中に埋め込む処理を行う。広告データに暗号鍵を埋め込む処理については後で詳述する。暗号埋め込み部１１によって暗号鍵が埋め込まれた広告データは、ＭＰＥＧ２エンコーダ１２に入力される。
【００４２】
ＭＰＥＧ２エンコーダ１２は、ＭＰＥＧ２（Moving Picture Experts Group２）の規格に準拠して構成された符号化器であり、コンテンツデータと暗号鍵が埋め込まれた広告データを時間軸及び空間軸方向に圧縮し、エンコード処理する。ＭＰＥＧ２エンコーダ１２は、エンコード処理したコンテンツデータを暗号化部１３に出力すると共に、エンコード処理した広告データをマルチプレクサ１４に出力する。
【００４３】
暗号化部１３は、入力された暗号鍵に基づいてエンコード処理されたコンテンツデータを暗号化する。暗号化部１３は、暗号化されたコンテンツデータを、マルチプレクサ１４に出力する。
【００４４】
マルチプレクサ１４は、コンテンツデータと暗号鍵が埋め込まれている広告データとを例えば時分割多重する。時分割多重された信号は、エラー訂正部１５に入力される。時分割多重された信号は、エラー訂正部１５においてエラー訂正されて、変調部１６において変調処理されて、アンプ１７によって増幅される。光学ヘッド１９は、アンプ１７からの信号をスピンドルモータ２０によって回転駆動されるディスク２００にデータを記録する。
【００４５】
ここで、ディスク２００に書き込まれた信号は、暗号鍵が埋め込まれた広告データと該暗号鍵によって暗号化されたコンテンツデータ（映画データ等）からなる。この記録装置１０は、再生装置で暗号化されたコンテンツデータを再生するに先立ち、広告データを再生するようにデータを記録する。例えば、内周側からデータを再生するディスクでは、内周側に広告データを記録し、その外周側にコンテンツデータを記録するようにし、また、外周側からデータを再生するディスクでは、外周側に広告データを記録し、内周側に、コンテンツデータを記録するようにする。
【００４６】
以上のような記録装置１０は、上述したように、暗号鍵（所定データ）に基づいてコンテンツデータを秘匿、例えば暗号化（解読不能な状態に変換）して、また該暗号鍵を広告データに埋め込み、コンテンツデータと広告データとを広告データの再生に先立って広告データが再生されるようにディスク２００に記録することができる。
【００４７】
なお、記録装置１０は、暗号鍵埋め込み部１１の後段にＭＰＥＧ２エンコーダ１２を配置した構成を有しているが、ＭＰＥＧ２エンコーダ１２を暗号鍵埋め込み部１１の前段に配置するようにしてもよい。この場合、符号化された広告データに対して暗号鍵の埋め込みがなされる。また、ＭＰＥＧ２エンコーダ１２は、暗号化部１３の後段に配置してもよい。
【００４８】
また、この記録装置１０では、コンテンツデータの秘匿を、暗号鍵を用いて行ったが、本発明はこれに限定されるものではなく、例えば、コンテンツデータに対して何らかのデータ変換処理を施すようにしてもよい。この場合、コンテンツデータの秘匿のためのデータ変換は、所定の鍵データ等の秘匿用データに基づいてコンテンツデータに対してなされるスクランブル（例えば、ラインシャッフリングやモザイク等）、外乱付加（例えば、特定ラインへのノイズ外乱付加等）等の処理である。すなわち、ここでいうコンテンツデータの秘匿とは、コンテンツデータを正常に再生できなくなるような状態へ変換することであり、コンテンツデータを解読不能にするような状態又は視聴者が映像を見ることを妨げ若しくは音楽を聞くことを妨げる状態にすることである。
【００４９】
また、記録装置１０において、マルチプレクサ１４は、コンテンツデータと広告データとを時分割多重しているが、これに限定されるものではない。例えば、コンテンツデータと広告データとを空間分割してもよい。この場合、後述する再生装置のデマルチプレクサでは、これに対応してコンテンツデータと広告データとを分割するようにする。
【００５０】
また、以上の例では、暗号鍵を含むデータとされる所定データとして広告データを例に挙げて説明したが、これに限定されるものではない。例えば、対応されるコンテンツデータが映画等著作権管理が必要なデータであるときには、上述の所定データを著作権管理情報とすることもできる。ここで、著作権管理情報とは、コンテンツデータの著作権者のデータ、管理番号等である。
【００５１】
次に、記録装置の他の例を説明する。上述した記録装置１０は、例えば広告データに全く関係のない暗号鍵に基づいてコンテンツデータを暗号化するものであるが、以下に説明する記録装置は、広告データの一部を使用して、コンテンツデータを秘匿、例えば暗号化するものである。ここで、広告データの一部とは、詳細は後述するが例えば所定のフレーム全体又は所定フレーム内のラインデータ等である。
【００５２】
図３に示すように、記録装置３０は、広告データから所定領域を抽出する所定領域抜き出し部３１と、コンテンツデータを暗号化する暗号化部３２と、コンテンツデータや広告データを時分割多重するマルチプレクサ３３と、コンテンツデータや広告データに対してエラー訂正符号化処理を施すエラー訂正部３４と、コンテンツデータや広告データに対して変調処理を施す変調部３５と、ディスク２００に記録するコンテンツデータや広告データを増幅するアンプ３６と、コンテンツデータや広告データをディスク２００に記録するための記録処理を施す信号記録部３７を備える。この記録装置３０は、図１に示した記録装置１０と同様な動作となり、基本的な動作としては図２に示すものと同様であるが、ステップＳ２において暗号鍵を広告データに埋め込む処理はなく、その代わりに、ステップＳ１において、広告データの所定領域から暗号化に使用するデータを抜き出して、その抜き出したデータに基づいてコンテンツデータを暗号化する。以下、記録装置３０について詳細を説明する。
【００５３】
この記録装置３０は、所定領域データ抜き出し部３１を備えることを特徴とする。この記録装置３０は、この所定領域データ抜き出し部３１によって広告データの所定領域からデータを抜き出して（抽出して）、その抜き出したデータ（以下、暗号化用データという。）を暗号化部３２に入力するようにしている。
【００５４】
暗号化部３２には、コンテンツデータが入力され、暗号化部３２は、このコンテンツデータを、所定領域データ抜き出し部３１で抜き出された暗号化用データに基づいて暗号化する。この暗号化部３２で暗号化されたコンテンツデータは、マルチプレクサ３３に入力される。
【００５５】
マルチプレクサ３３には、暗号化されたコンテンツデータと共に広告データが入力され、この広告データとコンテンツデータとを時分割多重する。このマルチプレクサ３３において時分割多重されたデータは、以後、上述の記録装置１０と同様な処理手順に沿って処理がされる。すなわち、時分割多重されたデータは、エラー訂正部３４においてエラー訂正されて、変調部３５において変調処理されて、アンプ３６によって増幅される。光学ヘッド３８は、アンプ３６からのデータを、スピンドルモータ３９によって回転駆動されるディスク２００に書き込む。
【００５６】
この記録装置３０は、上述したように、広告データの一部を抜き出して、その抜き出したデータ（例えば、暗号化用データ）に基づいてコンテンツデータを秘匿、例えば暗号化（解読不能な状態に変換）して、コンテンツデータと広告データとがコンテンツデータの再生に先立って広告データが再生されるようにディスク２００に記録することができる。
【００５７】
なお、記録装置３０は、上述したように記録装置１０が限定的に解釈されないことと同様に、上述の説明に限定されるものではない。
【００５８】
（２）本発明を適用した再生装置
本発明を適用した再生装置５０は、上述の図１に示した記録装置１０によってデータが記録されたディスク２００の再生装置であり、図４に示すように、ディスク２００よりデータを読み出す信号再生部５１と、信号再生部５１で読み出したデータを増幅しＲＦ信号等を生成するアンプ５４と、アンプ５４より入力されたデータを復調する復調部５５と、復調されたデータに対してエラー訂正処理を施すエラー訂正部５６と、時分割多重された信号を広告データとコンテンツデータとに分割するデマルチプレクサ５７と、広告データを一時的に蓄積するバッファ５８と、コンテンツデータの暗号を解読する暗号解読部５９と、広告データより暗合鍵を抽出する暗号鍵抽出部６０と、ＭＰＥＧ２でエンコードされたデータをデコードするＭＰＥＧ２デコーダ６２と、データの出力を切り換えるデータ出力切換部（スイッチ）６３と、データ出力切換部６３を制御する制御部６１とを備える。ここで、信号再生部５１は、例えば、光学ヘッド５２及びスピンドルモータ５３を備える。
【００５９】
このような再生装置５０は、コンテンツデータを秘匿、例えば暗号化するための暗号鍵を含む広告データと暗号化されたコンテンツデータとが記録された記録媒体であるディスク２００から暗号化されたコンテンツデータを読み出して再生するものであり、暗号鍵抽出部６０は、コンテンツデータの再生に先行して、広告データを再生して暗号鍵を抽出する抽出手段となる。また、暗号解読部５９は、広告データより抽出された暗号鍵に基づいて暗号化されたコンテンツデータの暗号を解読する秘匿解除手段となる。更に、暗号解読部５９以降のＭＰＥＧ２デコーダ６２等は、暗号化が解除されたコンテンツデータを再生する再生手段となる。
【００６０】
この再生装置５０は、図５に示すような処理を実行する。すなわち、図５に示すように、記録装置５０は、ステップＳ１１において、コンテンツデータに先行して、広告データを再生して暗号鍵を抽出し、続くステップＳ１２において、抽出された暗号鍵に基づいて暗号化されたコンテンツデータを暗号解読し、続くステップＳ１３において、暗号解読されたコンテンツデータを再生する。以下、再生装置５０について詳細を説明する。
【００６１】
再生装置５０は、スピンドルモータ５３によって回転駆動されているディスク２００から光学ヘッド５２によって信号を読み取る。ここで、読み取られた信号は、例えば時分割多重された信号であって、暗号鍵が埋め込まれた広告データと暗号鍵によって暗号化されたコンテンツデータ（映画等）である。
【００６２】
光学ヘッド５２から出力された信号は、アンプ５４において増幅処理されて、復調部５５で復調処理されて、更にエラー訂正部５６においてエラー訂正処理がなされる。エラー訂正部５６においてエラー訂正された信号（時分割多重された信号）は、デマルチプレクサ５７に入力される。
【００６３】
デマルチプレクサ５７は、入力された時分割多重された信号を広告データとコンテンツデータとに分割する。デマルチプレクサ５７にて分割して得られた広告データは、バッファ５８及びＭＰＥＧ２デコーダ６２に入力される。また、デマルチプレクサ５７にて分割して得られたコンテンツデータは、暗号解読部５９に入力される。ここで、暗号解読部５９に入力されるコンテンツデータは、暗号鍵に基づいて暗号化されている。
【００６４】
暗号鍵抽出部６０は、バッファ５８に取り込まれた広告データから暗号鍵を抽出して、抽出した暗号鍵を暗号解読部５９に出力する。
【００６５】
暗号解読部５９には、暗号化されているコンテンツデータを、暗号鍵抽出部６０にて抽出された暗号鍵に基づいて解読（復号）する。暗号解読部５９にて解読されたコンテンツデータは、ＭＰＥＧ２デコーダ６２に入力される。
【００６６】
ＭＰＥＧ２デコーダ６２は、ＭＰＥＧ２（Moving Picture Experts Group 2）の規格に準拠して構成された復号器であり、コンテンツデータは、ここでＭＰＥＧ２方式によってデコード処理される。また、ＭＰＥＧ２デコーダ６２には、デマルチプレクサ５７にて分割して得られた広告データが入力され、ここで、広告データはデコード処理される。デコード処理されたコンテンツデータ及び広告データは、データ出力切換部６３に入力される。
【００６７】
データ出力切換部６３は、制御部６１により制御されて、所定のタイミングで、ＭＰＥＧ２デコーダ６２からの広告データをモニタ、スピーカ等の後段のブロックに出力する。また、データ出力切換部６３は、制御部６１により制御されて、所定のタイミングで、ＭＰＥＧ２デコーダ６２からのコンテンツデータをモニタ、スピーカ等の後段のブロックに出力する。このような制御部６１による制御により、コンテンツデータに先行して、対応する広告データが出力される。
【００６８】
また、再生装置５０は、広告データをディスク２００から読み出すことができないとき、暗号鍵を抽出することができないためにコンテンツデータを暗号解読することができない。また、再生装置５０は、暗号鍵抽出部６０にて広告データから暗号鍵を抽出することができないときにもコンテンツデータを暗号解読することができない。したがって、このような場合には、再生装置５０では、コンテンツデータを再生することができなくなる。
【００６９】
以上、再生装置５０は、上述したように、広告データに埋め込まれている暗号鍵を抽出して、その暗号鍵に基づいてコンテンツデータを暗号解読することにより、コンテンツデータと広告データと再生することができる。そして、再生装置５０は、このような再生を暗号鍵が抽出された広告データを先行して行うようにしている。これにより、再生装置５０は、コンテンツデータ（映画等）を見たい視聴者に、強制的に広告データを先行して見せるようにすることができる。これにより、再生装置５０は、コンテンツに添付される広告効果を高めることができる。
【００７０】
なお、再生装置５０は、暗号解読部５９の後段にＭＰＥＧ２デコーダ６２が配置されたものであるが、ＭＰＥＧ２デコーダ６２を暗号解読部５９の前段に配置するようにしてもよい。具体的には、ＭＰＥＧ２デコーダ６２を配置する位置は、上述の記録装置１０におけるＭＰＥＧ２エンコーダ１２の配置される位置に対応して決定する。
【００７１】
また、上述の再生装置５０では、コンテンツデータの秘匿が暗号鍵を用いて行ったが、本発明はこれに限定されるものではなく、例えば、コンテンツデータの秘匿は、コンテンツデータに対しての何らかのデータ変換処理を施すことにより行うようにしてもよい。この場合、コンテンツデータの秘匿の解除は、コンテンツデータに対してなされているスクランブル（例えば、ラインシャッフリングやモザイク等）、外乱付加（例えば、特定ラインへのノイズ外乱付加等）又はブルーバック等の解除となる。上述したように、ここでいうコンテンツデータの秘匿とは、コンテンツデータを正常に再生できなくなるような状態へ変換することであり、コンテンツデータを解読不能にするような状態又は視聴者が映像を見ることを妨げ若しくは音楽を聞くことを妨げる状態にするである。そして、秘匿解除は、このような解読不能とされていることの解除又はこのような妨げの解除となる。
【００７２】
また、デマルチプレクサ５７は、コンテンツデータと広告データとを時分割多重した信号を分割しているが、これに限定されるものではない。例えば、コンテンツデータと広告データとが空間分割されている信号を分割してもよい。
【００７３】
次に、本発明が適用された再生装置の他の例について説明する。上述の再生装置５０は、暗号鍵に基づいてコンテンツデータを暗号解読するものであったが、ここで説明する再生装置７０は、広告データの一部である暗号化用データに基づいてコンテンツデータを暗号解読するように構成されている。
【００７４】
図６に示すように、この再生装置７０は、ディスク２００よりデータを読み出す信号再生部７１と、信号再生部５１で読み出したデータを増幅しＲＦ信号等を生成するアンプ７４と、アンプ５４より入力されたデータを復調する復調部７５と、復調されたデータに対してエラー訂正処理を施すエラー訂正部７６と、時分割多重された信号を広告データとコンテンツデータとに分割するデマルチプレクサ７７と、広告データより暗号鍵として用いられている所定領域を抽出する所定領域データ抽出部７８と、コンテンツデータの暗号を解読する暗号解読部７９と、データの出力を切り換えるデータ出力切換部（スイッチ）８１と、データ出力切換部（スイッチ）６３を制御する制御部８０とを備える。この再生装置７０は、図４に示した再生装置５０と同様な動作となり、基本的な動作は図５に示すものと同様であるが、ステップＳ１１において、広告データを再生して暗号化鍵を抽出するのではなく、暗号化に使用した暗号化用データを広告データの所定領域から抽出して、ステップＳ１２において、その抽出して暗号化用データに基づいて暗号化されたコンテンツデータを暗号解読する。以下、再生装置７０について詳細を図６を参照して説明する。
【００７５】
この再生装置７０は、デマルチプレクサ７７からの広告データが入力される所定領域データ抽出部７８を備えているところに特徴がある。再生装置７０は、この所定領域データ抽出部７８によって広告データの所定領域から暗号化に使用した暗号化用データを抽出して、その暗号化データを暗号解読部７９に出力している。
【００７６】
暗号解読部７９には、暗号化されているコンテンツデータが入力されており、この暗号化されているコンテンツデータを、所定領域データ抽出部７８で抽出された暗号化用データに基づいて暗号解読する。この暗号解読部７９にて暗号解読されたコンテンツデータは、データ出力切換部８１に入力される。
【００７７】
データ出力切換部８１は、上述の再生装置５０の場合の動作と基本的には動作が同様であり、制御部８０により制御されて、所定のタイミングで、デマルチプレクサ７７からの広告データを後段のブロックに出力する。また、データ出力切換部８１は、制御部８０により制御されて、所定のタイミングで、暗号解読部７９からのコンテンツデータを後段のブロックに出力する。このような制御部８０による制御により、コンテンツデータに先行して、対応される広告データの出力がなされるようになる。
【００７８】
また、再生装置７０は、広告データをディスク２００から読み出すことができないときや所定領域データ抽出部７８にて広告データから暗号化用データを抽出することができないとき、コンテンツデータを暗号解読することができないので、コンテンツデータを再生することができない。
【００７９】
以上のように、再生装置７０は、広告データから暗号化用データを抽出して、この抽出した暗号化用データに基づいてコンテンツデータを暗号解読することにより、コンテンツデータと広告データと再生することができる。そして、再生装置７０は、そのような再生を暗号化用データが抽出された広告データを先行して行うようにしている。これにより、再生装置７０は、コンテンツデータ（映画等）を見たい視聴者に、強制的に広告データを先行して見せるようにすることができる。これにより、コンテンツに添付される広告の効果は、有効なものになる。
【００８０】
なお、上述の再生装置７０は、上述したように再生装置５０が限定的に解釈されないことと同様に、上述の説明に限定されるものではない。
（３）暗号化に使用される広告データの暗号鍵用データ及び広告データへの暗号鍵の埋め込み等
暗号化に使用される暗号鍵（広告データとは独立のデータ）の広告データへの埋め込み、又は広告データの一部データを暗号鍵として用いる場合について説明する。
【００８１】
図１に示した記録装置１０の暗号鍵埋め込み部１１における広告データへの暗号鍵の埋め込みは、図７に示すように、広告データの所定フレーム画面Ｐの所定のラインに暗号鍵ｄを埋め込むようにする。一方、図２に示した記録装置３０の所定領域抜き出し部３１における広告データからの暗号化用データの抜き出しについては、図７に示すような広告データの所定フレーム画面Ｐの所定のラインデータｄをそのまま暗号化用データとして抜き出すようにする。再生装置側では、このような広告データへの暗号鍵の埋め込みや、広告データからの暗号化用データの抜き出しに対応して、暗号鍵を抽出してコンテンツデータを暗号解読し、又は暗号化用データを抽出してコンテンツデータを暗号解読する。
【００８２】
また、図２に示した記録装置３０の所定領域抜き出し部３１における広告データからの暗号化用データの抜き出しについては、図８に示すような広告データの所定フレーム画面Ｐ全体のデータを暗号化用データとして抜き出すようにする。再生装置側では、このような広告データからの暗号化用データの抜き出しに対応して、暗号化用データを抽出してコンテンツデータを暗号解読する。
【００８３】
また、図１に示した記録装置１０の暗号鍵埋め込み部１１における広告データへの暗号鍵の埋め込みは、図９に示すように、広告データの所定フレームの信号中の帰線消去期間中、すなわち表示画面Ｐの外側に位置する部分に暗号鍵ｄを埋め込むようにする。例えば、図９に示すように表示画面Ｐの下側に暗号鍵を埋め込むか、表示画面Ｐの上側に暗号鍵を埋め込む。再生装置側では、このような広告データへの暗号鍵の埋め込みに対応して、暗号鍵を抽出してコンテンツデータを暗号解読する。
【００８４】
また、広告映像（広告データ）を構成する全フレームに亘って暗号鍵を埋め込むようにすることもできる。具体的には、図１０に示すように、全フレームに亘って該各フレーム画面Ｆの一部にデータ（暗号鍵の一部）ｄを埋め込み、全データ（暗号鍵の全部）ｄの取得（例えば、加算、蓄積（アキュムレート））によって暗号鍵が生成（把握）されるようにする。これにより、広告映像全体を再生しない限り、全データｄをアキュムレート等できないために暗号鍵の取得をできないようにして、コンテンツデータの暗号解読を不可能にすることができる。なお、広告映像（広告データ）を構成する全フレームに亘って各フレーム画面Ｆの一部のデータｄを暗号化用データとすることもできる。
【００８５】
このような暗号鍵の埋め込みを採用すれば、視聴者は、広告映像全体を再生しない限り、本編（コンテンツデータ）を見ることができないようになる。例えば、一部のフレームのみに暗号鍵を埋め込んだときには、フレームのみ再生すれば本編の暗号解読がなされ、本編全体を見ることができるようになる。しかし、広告映像を構成する全フレームに亘って暗号鍵（暗号鍵の一部ずつ）を埋め込むことにより、広告映像全体を再生しない限り、暗号鍵が生成されず、本編が暗号解読されないようにすることができる。このように、本編（コンテンツデータ）を見るためには広告映像全体を再生することを前提とすることにより、広告効果を効果的なものとすることができる。
【００８６】
また、このようなフレーム間に亘って暗号鍵を埋め込むとき、広告映像の所定時間内（例えば、３０秒の広告映像に対して２０秒間）のフレームにのみ埋め込むようにしてもよい。これにより、視聴者は、所定時間だけ広告映像を見ることにより、本編を見ることができるようになる。
【００８７】
また、図１１に示すように、画像信号中の下位データに暗号鍵を埋め込むことができる。このような画像信号の下位データへのデータの埋め込みとしては、電子透かし（ウォーターマーク）によるデータの埋め込み技術が挙げられる。ウォーターマークとは、例えば所謂ＳＤＭＩ（Secure Digital Music Initiative）において規格化されたコピー管理情報の入る電子透かしである。
【００８８】
また、図１２に示すように、画像信号のピーク位置に暗号鍵のデータ（暗号鍵の一部）を埋め込むこともできる。一方、画像信号のピーク値の下位データを抜き出して暗号用データとして使用することもできる。例えば、画像信号のピーク値とは、輝度信号のピーク値である。
【００８９】
また、スペクトラム拡散により、画像信号中に暗号鍵を埋め込みこともできる。
【００９０】
以上のように、暗号化に使用される暗号鍵（広告データとは独立のデータ）の広告データへの埋め込み又は広告データの一部データである暗号化用データが決定されるが、上述したような例に限定されないことはいうまでもない。
【００９１】
（４）複数の広告データを使用した例
上述した記録装置１０，３０や再生装置５０，７０では、１つの広告データ（１つの暗号鍵）に１つのコンテンツデータが対応している場合を例として説明した。例えば、図１３に示すようなデータ形態のように、複数の広告１、広告２、広告３、広告４、・・・に対して複数のコンテンツデータＡ、コンテンツデータＢ、コンテンツデータＣ、・・・が対応されたような場合である。このようなデータ形態は、シリアル方式に対応された形態となっているが、これに限定されるものではなく、データ形態は、パラレル方式に対応された形態とされていてもよい。
【００９２】
また、複数の広告データ（複数の暗号鍵又は複数の暗号化用データ）に暗号化対象として１つのコンテンツを対応させることもできる。以下の説明では、複数の暗号鍵（広告データとは独立しているデータ）に基づいて行うコンテンツデータＡの暗号化及び暗号解読を説明するが、広告データの一部のデータを暗号化用データとして使用しコンテンツデータＡの暗号化及び暗号解読ができるようにしてもよい。複数の暗号鍵に基づいて行うコンテンツデータＡの暗号化及び暗号解読は具体的には次のようになされる。
【００９３】
例えば、図１４に示すように、広告１〜広告４の４個の広告データに埋め込まれる暗号鍵の一又は複数を用いてコンテンツデータＡを暗号化する。例えば、広告１〜４に同じ暗号鍵を埋め込み、広告１〜広告４の何れかを再生することにより、暗号鍵を取得するようにする。これにより、再生装置は、広告１〜広告４の何れか１つを再生することによって、コンテンツデータＡの暗号を解読し再生することができるようになる。
【００９４】
また、コンテンツデータＡを暗号化する暗号鍵を広告１〜広告４に分散して埋め込むようにし、広告１〜広告４の全てを再生することにより、暗号鍵を取得することができるようにしてもよい。これにより、再生装置は、広告１〜広告４の全てを再生することによってのみ、暗号鍵を取得し、コンテンツデータＡの暗号を解読し、再生することができるようになる。
【００９５】
また、例えば、複数の広告データに埋め込まれる暗号鍵を用いて先ず１つの暗号鍵を生成して、その生成した１つの暗号鍵によってコンテンツデータを暗号化するようにしてもよい。具体的には、図１５に示すように、広告１〜広告４の４個の広告データに埋め込まれる暗号鍵を用いて、一方向性関数であるＨａｓｈ関数により１つの暗号鍵を生成して、その暗号鍵に基づいてコンテンツデータＡを暗号化するようにする。
【００９６】
また、広告データ自体を他の広告データの暗号鍵に基づいて暗号化するようにしてもよい。例えば、暗号解読の場合について説明すると、図１６に示すように、広告１の広告データに埋め込まれる暗号鍵に基づいて広告２の広告データを暗号解読する。これにより、広告２の広告データから広告３の広告データの暗号解読に使用する暗号鍵を得ることができる。そして、広告２の広告データから得た暗号鍵に基づいて広告３の広告データを暗号解読して、広告４の広告データの暗号解読に使用する暗号鍵を得る。次いで、広告４の広告データの暗号解読用の暗号鍵に基づいて広告４の広告データの暗号解読して得た暗号鍵（コンテンツデータＡ用の暗号鍵）によってコンテンツデータＡの暗号解読をする。このように、広告データを、所謂チェーン式に暗号解読できるようにすることで、必ず広告１から広告４の順番で再生していかなければコンテンツデータＡを見ることができないようにすることができる。なお、このような場合の広告データ及びコンテンツデータＡの暗号化については、この逆の手順によって実現されるものであり、すなわち、コンテンツデータＡ用の暗号化に使用した暗号鍵を広告４の広告データに埋め込んで暗号化して、広告４の広告データの暗号化に使用した暗号鍵を広告３の広告データに埋め込んで暗号化して、広告３の広告データの暗号化に使用した暗号鍵を広告２の広告データに埋め込んで暗号化して、広告２の広告データの暗号化に使用した暗号鍵を広告１の広告データに埋め込むようにすればよい。
【００９７】
また、複数の広告データに埋め込まれる各暗号鍵によって、画像を部分的に暗号化してもよい。具体的には、図１７に示すように、広告１〜広告４の各広告データに埋め込まれる暗号鍵により、４分割されるコンテンツデータＡのそれぞれ対応される領域Ａ（１）〜領域（４）を暗号化する。
【００９８】
このようにすることで、全ての広告データを再生しない限り、すなわち、全ての暗号鍵を取得しない限りコンテンツデータＡの全画面を表示することができないようにすることができる。すなわち、広告１の広告データが再生されただけでは、コンテンツデータＡの一部の領域（１）だけが再生（暗号解読）さるようになる。
【００９９】
（５）インターネットのホームページの表示への適用例
上述の記録装置１０，３０及び再生装置５０，７０について、コンテンツデータ及び広告データとして映像を対象として説明したが、本発明は、所謂インターネットのホームページの表示にも適用することができる。例えば、インターネットを利用したネットワークシステムは、図１８に示すように、サーバ装置１００と複数のパーソナルコンピュータ（ＰＣ）等の端末装置１１０１〜１１０ｎとがインターネット１１１を介して接続されている。
【０１００】
ここで、サーバ装置１００は、制御部１０１及びデータ蓄積装置１０２を備えている。データ蓄積装置１０２は、大容量ハードディスク等からなり、ネットワーク（例えば、インターネット１１１）を介してデータの送受信を行うデータ、例えば端末装置１１０１〜１１０ｎからの要求信号に応じて送信するホームページを構成する表示データや音声データ等が蓄積されている。すなわち、データ蓄積装置１０２には、コンテンツデータの広告であるバナー広告の表示データや、バナー広告が操作（クリック）されたときに、再生される広告データや、コンテンツデータ等が蓄積されている。そして、サーバ装置１００は、端末装置１１０１〜１１０ｎからのアクセス要求に応じて所定のＵＲＬのホームページを構成する表示データ等を端末装置１１０１〜１１０ｎに送信する。そして、端末装置１１０１〜１１０ｎは、サーバ装置１００から送信されたデータを受信すると、ＣＲＴ（cathode ray tube）、ＬＣＤ（liquid crystal display）等の表示部に表示データを表示する。
【０１０１】
例えば、図１９は、サーバ装置１００より端末装置１１０１〜１１０ｎに送信されたホームページ画面１２０を示している。サーバ装置１００は、制御部１０１の制御に応じて端末装置１１０１〜１１０ｎからのアクセス要求に対して画面１２０を表示するための表示データ等を送信する。
【０１０２】
すなわち、図２０に示すように、端末装置１１０１〜１１０ｎは、ステップＳ２１において、コンテンツデータを再生するための広告バナーを有する画面を表示し、続くステップＳ２２において、画面上の広告バナーの操作（クリック）に応じて暗号鍵を含む広告データを再生し、続くステップＳ２３において、広告データの再生に応じて暗号鍵を抽出し、続くステップＳ２４において、抽出された暗号鍵に基づいてコンテンツデータを再生する。以下、詳細を説明する。
【０１０３】
図１９に示すように、このサイトＸＹＺ（ホームページの仮称）の画面１２０上には、略中央付近に平文情報部１２２と、暗号化情報部１２３とが表示されている。暗号化情報部１２３は、該ホームページを見ている者にとっては見逃すことのできない情報を提供しているのであるが、通常状態においては秘匿、例えば暗号鍵（暗号化用データ）によって暗号化されている。例えば、暗号化情報部１２３は、モザイク等がかけられ又は背景画面（青色等）等とされている。なお、平文情報部１２２は、通常状態において、読むことができるようになされている。
【０１０４】
また、サイトＸＹＺの画面１２０上には、画面の端側にバナー広告が表示されている。画面１２０では、バナー広告１（１２１１）、バナー広告２（１２１２）、バナー広告３（１２１３）、バナー広告４（１２１４）といったように４つのバナー広告が表示されている。
【０１０５】
このような画面表示がなされている場合においてバナー広告をクリックすることによって、広告データが表示（再生）されて、広告データの表示（再生）に応じて暗号鍵の抽出がなされる。例えば、広告データの表示は、画面の一部への表示によりなされたり、該サイトＸＹＺの画面上への新たな画面によりなされたりする。このような広告データの表示に応じて抽出された暗号鍵に基づいて暗号化情報部（コンテンツデータ）１２３にかかっているモザイク等が解除される。具体的には、４つの全てのバナー広告がクリックされない限り、暗号化情報部１２３にかかっているモザイクが解除されないようになされていたり、又はそれぞれのバナー広告のクリックに対応して暗号化情報部１２３にかかっているモザイクが部分的に解除されていくようになされている。
【０１０６】
図２１は、端末装置１１０１〜１１０ｎにおいて暗号化情報部１２３の暗号を解読する、すなわちモザイク等が解除されるまでの具体的な処理手順を示している。ここでは、少なくとも１つの広告バナーが選択されたときに暗号化情報部１２３のモザイク等を解除する例を説明する。
【０１０７】
先ず、ステップＳ３１において、端末装置１１０１〜１１０ｎには、ホームページの画面表示がされる。続くステップＳ３２において、端末装置１１０１〜１１０ｎは、「どれか広告をクリックして下さい」といった広告バナーの選択を促す表示をする。そして、ステップＳ３３において、端末装置１１０１〜１１０ｎは、広告バナーが選択されたか否かの判別を行う。このステップＳ３３において、端末装置１１０１〜１１０ｎは、広告１〜広告４のどれかがクリックされるまで、ステップＳ３２の処理として「どれか広告をクリックして下さい」といった表示をし続け、広告１〜広告４のどれかがクリックされると、ステップＳ３４に進むようになる。
【０１０８】
ステップＳ３４において、端末装置１１０１〜１１０ｎは、クリックされた広告（ｎ）から暗号鍵を入手（抽出）して、続くステップＳ３５において、入手した暗号鍵に基づいて暗号化情報部１２３を解読して表示する。なお、広告バナーのクリックに対応して広告データを再生してから、暗号化情報部１２３を再生（解読）するようになっているが、広告バナーのクリックのみで暗号化情報部１２３を直ちに再生するようにしてもよい。
【０１０９】
（６）その他の例
なお、再生装置は、広告データの変速再生やスキップ再生の検出部を設けて、検出部において変速再生やスキップ再生が検出されたとき、暗号鍵に基づいた暗号解読を実行できないようにすることもできる。図２２には、そのような処理を実現するために再生装置の備える構成を示している。
【０１１０】
図２２に示すように、再生装置は、広告データを通常再生しているかを判別する広告データ再生モニタ部１３１と、広告データより暗号鍵を抽出する暗号鍵抽出部１３３と、広告データが通常再生されているときに限って暗号鍵抽出部１３３に広告データを出力するようにするスイッチ１３２と、スイッチ１３２の切り換えを制御する制御部１３４と、コンテンツデータの暗合を解除する暗号解読部１３５を備える。例えば、図４に示した再生装置５０と比較したとき、広告データ再生モニタ部１３１及びスイッチ１３２が新たな構成となる。なお、制御部１３４は、そのような新たな構成に対応されて新たな制御機能を有するものである。なお、以下の例では、暗号鍵に基づいてコンテンツデータが暗号化されている場合を例として説明するが、広告データの一部とされる暗号化用データに基づいてコンテンツデータが暗号化されている場合にも適用できる。
【０１１１】
この図２２に示すような構成をなす再生装置には、暗号鍵が埋め込まれた広告データ及び該暗号鍵によって暗号化されたコンテンツデータからなるデータが入力されており、広告データは、広告データ再生モニタ部１３１及び暗号解読部１３５に入力される。また、暗号解読部１３５には、広告データと共に対応するコンテンツデータも入力される。
【０１１２】
広告データ再生モニタ部１３１は、入力された広告データの再生をモニタする。この広告データ再生モニタ部１３１は、広告データが変速再生やスキップ再生等の広告効果を発揮することができないような再生（以下、特殊再生という。）がなされているか否かを検出する。そして、その検出結果は、制御部１３４に出力される。
【０１１３】
制御部１３４は、各構成部を制御している。この制御部１３４は、広告データ再生モニタ部１３１の検出結果に応じてスイッチ１３２のオン／オフの切換を制御する。ここで、スイッチ１３２は、広告データ再生モニタ部１３１と暗号鍵抽出部１３３との接続をオン／オフする。
【０１１４】
制御部１３４は、広告データ再生モニタ部１３１の検出結果から広告データの再生が特殊再生ではなく通常の再生とされているときには、スイッチ１３２をオンにして、広告データ再生モニタ部１３１から暗号鍵抽出部１３３に広告データを出力するようにする。また、制御部１３４は、広告データが特殊再生されているときには、スイッチ１３２をオフにして、広告データ再生モニタ部１３１から暗号鍵抽出部１３３に広告データを出力しないようにする。
【０１１５】
暗号鍵抽出部１３３は、広告データに埋め込まれている暗号鍵を抽出するものであるが、広告データが特殊再生されているときには、広告データ再生モニタ部１３１からの広告データの入力がなくなり、暗号鍵の抽出ができなくなる。なお、これは、広告データが特殊再生されているときには暗号鍵を破壊する、といった処理と同じである。これにより、暗号鍵抽出部１３３により抽出される暗号鍵によってコンテンツデータの暗号解読を行う暗号解読部１３５は、広告データが特殊再生されているときには、コンテンツデータの暗号解読が不可能になる。また、広告データが特殊再生されたことにより、コンテンツデータの暗号解読ができなかったようなときには、例えばモニタ上にその旨、例えば「不正な操作がなされたので終了します」等の警告表示をして、使用者に注意を促すようにすることもできる。
【０１１６】
一方、広告データが通常再生されているときには、暗号鍵抽出部１３３では、広告データから暗号鍵を抽出することができ、更に暗号解読部１３５では、その暗号鍵に基づいてコンテンツデータの暗号解読ができる。したがって、広告データが通常再生されているときには、コンテンツデータは、暗号解読された状態として、後段のＭＰＥＧ２デコーダ等へ出力されるようになる。
【０１１７】
以上のように、再生装置は、広告データが変速再生やスキップ再生されたとき、広告データから暗号鍵の抽出を不可能として、暗号鍵に基づくコンテンツデータの暗号解読をできないようにすることができる。これにより、再生装置は、本編を見るためには視聴者に対して広告を通常再生により見ることを要求することができ、これにより、広告効果を有効的なものとすることができる。
【０１１８】
また、上述の例では、特殊再生されたとき、暗号鍵の抽出を不可能にして、コンテンツデータの暗号解読をできないようにしているが、特殊再生されたときに、青画面（例えば、ブルーバック）、ホワイトノイズ等のコンテンツデータの視聴が妨げられるようにすることもできる。
【０１１９】
また、コンテンツデータと広告データとが対応されることが本発明の前提とされるが、このような所謂広告付きコンテンツの作成は、コンテンツ作成会社で作成するようにしてもよい。その場合の手順を図２３を用いて説明する。本例は、図２３に示すように、コンテンツ製作会社１５０にて鍵データ（暗号鍵）による暗号化コンテンツが製作され、広告制作会社１５１にて鍵付広告ＣＭが製作される場合を示している。
【０１２０】
コンテンツ制作会社１５０では、制作したコンテンツを鍵データ（暗号鍵）Ｋに基づいて暗号化する。また、広告制作会社１５１では、コンテンツ制作会社１５０から送られてくる鍵データＫに基づいて、広告に鍵データＫを添付した（埋め込んだ）鍵付広告ＣＭを作成する。
【０１２１】
そして、コンテンツ制作会社１５０において、広告作成会社１５１で作成された鍵付広告ＣＭを使用して、編集作業によって、その鍵付広告ＣＭと該鍵付広告ＣＭに埋め込まれている鍵データＫにより暗号化されたコンテンツＣとを一体として広告付コンテンツを作成する。このようにして作成された広告付コンテンツをユーザが購入する。
【０１２２】
また、以上の例では、本発明を記録装置、再生装置等に適用した場合について説明したが、更に、本発明を、送信装置や受信装置に適用することもできる。
【０１２３】
送信装置については、図１及び図３に示したような記録装置１０，３０におけるアンプ１７，３６以降の構成を、送信手段に変更するようにすればよい。例えば、送信手段の構成としては、搬送波処理部等が挙げられる。なお、このように、アンプ１７，３６以降の構成を、送信手段に変更することによって送信装置とすることができるが、アンプ１７，３６の前段までの処理は、上述した記録装置１０，３０と同様な処理を行うようにすればよい。すなわち、変調部１６，３５は、入力された信号に対して送信処理に対応する変調処理を行う。
【０１２４】
また、受信装置については、図４及び図６に示したような再生装置５０，７０においてディスク２００からの信号を読み込むためのアンプ５４，７４以前の構成を、受信手段に変更すればよい。例えば、受信手段の構成としては、搬送波処理部等が挙げられる。なお、このように、アンプ５４，７４以降の構成を、受信手段に変更することによって受信装置とすることができるが、アンプ５４，７４の後段のブロック以降は、送信装置から送信されてデータの受信処理を行う。すなわち、復調部５５，７５は、入力された信号に対して受信処理に対応する復調処理を行う。
【０１２５】
なお、上述した送信装置及び受信装置は、無線放送、有線放送又はネットワークを介してデータの送受信がなされる。
【０１２６】
また、上述の例では、記録媒体として、ディスク（例えば、光ディスク、光磁気ディスク等）を例に挙げて説明しているが、記録媒体は、ビデオテープ、半導体メモリ等であってもよい。この場合、記録手段や再生手段は、記録媒体に応じたものが用いられる。
【０１２７】
以上の例によれば、広告や著作権管理情報等の必ず再生して欲しい情報を再生しないと、コンテンツデータ（本編又は本体）を正しく再生することができない。したがって、ユーザ対して、広告や著作権管理情報等を強制的に見せることができる。
【０１２８】
また、以上の例によれば、ビデオ映像やテレビジョン放送の場合、広告が流れて（再生されて）初めて本編が見られるようになるので、広告効果を一層高めることができる。例えば、ＨＤＤ付きのテレビジョン受像器等で広告映像をスキップ等の特殊再生をしようとすると、本編を正しく再生できなくなるので、ユーザは必ず広告を通常再生する必要がある。これによって、本例では、広告をユーザに対して確実に見せることができる。
【０１２９】
また、例えば、広告データに暗号鍵を埋め込む方式として、デジタルデータの最下位ビットにウォーターマークを埋め込むような方式を採用した場合には、Ｄ／Ａ変換して得たアナログデータをＡ／Ｄ変換して再びデジタル変換しても最下位のウォターマークが完全に再現される可能性は低い、といった例からもわかるように、ウォーターマークを埋め込むことでと、アナログコピーで落ちてしまう（本編が再生されない）方式にすることもできる。これにより、アナログコピーされた場合には、本編とされるコンテンツデータを再生することができなくなり、その一方で、コピーが広告のみが再生されるようになる。
【０１３０】
また、ホームページよりコンテンツデータを入手するとき、操作部となるバナー広告をクリックしないと、コンテンツデータを入手することができないようにすることで、ユーザに対してバナー広告を必ず見せることができる。
【０１３１】
以上のように、コンテンツに添付される広告の効果を絶大なものとすることができるので、これにより、ユーザは、広告付きコンテンツを安く購入することができるようになる。
【０１３２】
なお、以上例では、コンテンツデータが動画像データ（映像）の場合を例に挙げて説明したが、これに限定されるものではなく、例えば、コンテンツデータは、静止画像データ、オーディオデータ又はゲームデータであってもよい。また、コンテンツデータは、動画像データ、静止画像データ、オーディオデータ、ゲームデータ等の内、少なくとも１つを含むものであればよく、従って、広告データが含むコンテンツ秘匿用データによる秘匿対象は、例えば、楽曲データのプロモーションビデオのように、動画像データとオーディオデータとからなるコンテンツデータであってもよい。また、このようなコンテンツデータとして挙げられるデータの信号形態は、アナログ信号であってもよく、デジタル信号であってもよい。
【０１３３】
また、上述の例では、ディスク２００へのコンテンツデータと広告データとの信号記録形態は、時分割多重又は空間分割を前提として説明しているが、これに限定されるものではない。例えば、広告データを、ディスク２００のデータ領域の最内周又は最外周側に記録することもできる。この場合には、上述の記録装置１０，３０や再生装置５０，７０は、それに対応した構成になる。例えば、記録装置１０，３０は、コンテンツデータと別にディスク２００の最内周又は最外周側に広告データを記録するようにし、また、再生装置は、ディスク２００の最内周又は最外周側に記録されている広告データを再生するようにする。これによって、ディスク２００を再生したとき、コンテンツデータの再生に先立って広告データの再生が行われるようになる。また、トラックジャンプ等を行うことにより、広告データの再生を飛ばしてコンテンツデータの再生を行う操作をしたときには、広告データよりコンテンツ秘匿用データを抽出することができないことから、コンテンツデータの再生を阻止することができる。
【０１３４】
また、上述の再生装置５０，７０は、デマルチプレクサ５７，７７を備え、ここでコンテンツデータと広告データとが分割されて、以降のブロックにおいて各種処理がなされる場合について説明しているが、デマルチプレクサ５７，７７を備えることに限定されるものではない。例えば、広告データから暗号鍵を抽出する暗号鍵抽出部６０に、広告データとコンテンツデータとがそのまま入力されるようにして、所定のタイミングで広告データから暗号鍵を抽出するようにしてもよい。また、広告データの所定領域から暗号化に使用した暗号化用データを抽出する所定領域データ抽出部７８に、広告データとコンテンツデータとがそのまま入力されるようにして、所定のタイミングで広告データから暗号化用データを抽出するようにしてもよい。
【０１３５】
以上の例では、ディスク２００等の記録媒体にコンテンツデータと広告データとが記録されている例を説明したが、以下に説明するように、ディスク２００に暗号化されたコンテンツデータを記録しておき、コンテンツデータの暗号を解読するための暗号鍵を含む広告データをサーバ装置よりダウンロードするようにしてもよい。
【０１３６】
すなわち、上記図２３に示すように、コンテンツ制作会社１５０は、図２４に示す記録装置２０１によってディスク２００に暗号化したコンテンツデータを記録し、ユーザに対して配給する。ここで、コンテンツ制作会社１５０は、有料、無料又は通常価格より安い価格で記録媒体を配給する。そして、広告制作会社１５１は、コンテンツデータを暗号化する際に用いた暗号鍵を含む広告データをサーバ装置２３０のホームページに公表する。ユーザは、図２５に示す再生装置２０１でディスク２００に暗号化された状態で記録されているコンテンツデータを再生する際、広告データをサーバ装置２２０よりダウンロードし、この広告データを再生することによって暗号鍵を購入し、この暗号鍵でコンテンツデータの暗号を解読し再生する。
【０１３７】
ここで、コンテンツ制作会社１５０の記録装置２０１について図２４を用いて説明すると、この記録装置２０１は、入力端子２０２より入力されたコンテンツデータをエンコードするエンコーダ２０３と、エンコーダ２０３でエンコードされたコンテンツデータを暗号化する暗号化部２０４と、暗号化部２０４で暗号化されたコンテンツデータに対してエラー訂正符号化処理を施すエラー訂正符号化部２０５と、エラー訂正符号化部２０５でエラー訂正符号が付加されたコンテンツデータに対して変調処理を施す変調部２０６と、変調部２０６で変調されたコンテンツデータを増幅するアンプ２０７と、ディスク２００にコンテンツデータを記録する光学ヘッド２０８とを備える。また、入力端子２０９からは、コンテンツデータを暗号化するための暗号鍵が入力され、この暗号鍵は、暗号化部２０４に入力される。
【０１３８】
以上のような記録装置２０１は、入力端子２０２よりコンテンツデータが入力され、入力端子２０９より暗号鍵が入力されると、先ず、エンコーダ２０３でコンテンツデータを上述したＭＰＥＧ２等の方式でエンコードする。次いで、暗コード処理されたコンテンツデータは、暗号化部２０４に入力される。暗号化部２０４は、入力端子２０９より入力された暗号鍵が入力され、エンコード処理されたコンテンツデータを暗号鍵を用いて暗号化し、暗号化されたコンテンツデータをエラー訂正符号化部２０５に出力する。エラー訂正符号化部２０５は、入力されたコンテンツデータにエラー訂正符号化処理を施し、変調部２０６に出力し、変調部２０６は、エラー訂正符号化処理がなされたコンテンツデータに対して変調処理を施し、次いでアンプ２０７は、ディスク２００に記録するコンテンツデータを増幅し、光学ヘッド２０８は、記録すべきコンテンツデータに対して記録処理を施して、ディスク２００にコンテンツデータを記録する。
【０１３９】
かくして、暗号化されたコンテンツデータが記録されたディスク２００は、パッケージ化あされた後にユーザに対して配給される。
【０１４０】
次に、ユーザが購入等したディスク２００を再生する再生装置２１１について、図２５を参照して説明すると、この再生装置２１１は、ディスク２００より光ビームを照射してディスク２００に記録されているコンテンツデータを読み出す光学ヘッド２１２と、光学ヘッド２１２より入力されたコンテンツデータを増幅し、ＲＦ信号等を抽出するＲＦアンプ２１３と、ＲＦアンプ２１３より入力されたコンテンツデータに対して復調処理を施す復調部２１４と、復調されたコンテンツデータのエラー訂正処理を施すエラー訂正部２１５と、エラー訂正部２１５でエラー訂正されたコンテンツデータの暗号を解読する暗号解読部２１６と、暗号解読されたコンテンツデータを出力するモニタ２１７、スピーカ２１８とを備える。
【０１４１】
また、再生装置２１１は、サーバ装置２３０よりダウンロードした広告データ等を保存する記憶部２１９と、記憶部２１９にデータを記録する共に記憶部２１９に保存されているデータを読み出す磁気回路２２０と、磁気回路２２０で読み出したデータを復調する復調部２２１と、復調部２２１で復調されたデータのエラー訂正処理を施すエラー訂正部２２２と、エラー訂正部２２２でエラー訂正処理が施された広告データ等から暗号鍵を抽出する抽出部２２３とを備える。更に、再生装置２１１は、サーバ装置２３０に対してデータを送信する送信部２２４と、サーバ装置から送信されたデータを受信する受信部２２５と、ユーザによって操作される操作部２２６と、操作部２２６からの入力に応じて装置全体を制御する制御部２２７とを備える。
【０１４２】
ここで、再生装置２１１がアクセスするサーバ装置２３０には、図２６に示すようなホームページ２３１が開設されている。このホームページ２３１は、コンテンツデータに関連するバナー広告１Ａ〜１Ｃとバナー広告２Ａ〜２Ｄが設けられている。これらバナー広告１Ａ〜１Ｃ，２Ａ〜２Ｄは、再生装置２１１のモニタ２１７にホームページ２３１が表示されているとき、操作部２２６によりクリックされると、コンテンツデータに関連するデータ、例えば広告データ、プロモーションデータを新たなウェブページを開くようになっている。ここで、広告データ等は、コンテンツデータを暗号化したときの暗号鍵が含まれている。
【０１４３】
再生装置２１１は、ディスク２００に暗号化されて記録されているコンテンツデータを再生するにあたては、先ず、サーバ装置２３０よりコンテンツデータをダウンロードする必要がある。このため、先ず、再生装置２１１は、操作部２６６を操作することによって所定のＵＲＬを入力し、サーバ装置２３０にアクセスし、モニタ２１７にホームページ２３１を表示する。ユーザは、再生しようとするコンテンツデータのバナー広告１Ａ〜１Ｃ，２Ａ〜２Ｄを操作部２２６でクリックする。すると、再生装置２１１は、送信部２２４より送信要求を送信し、これを受信したサーバ装置２３０より、クリックしたバナー広告に対応した表示データを受信し、記憶部２１９に保存する。そして、再生装置２１１は、モニタ２１７にウェブページを表示する。また、ここで、再生装置２１１は、このウェブページよりコンテンツデータの暗号鍵が含まれた広告データをダウンロードする。そして、この広告データ等は、記憶部２１９に保存される。
【０１４４】
ここで、ユーザがディスク２００を装着部に装着し、ディスク２００に暗号化されて記録されているコンテンツデータの再生を開始しようとすると、制御部２２７は、広告データの再生を開始する。すなわち、図２７に示すように、ステップＳ１０１において、磁気回路２２０は、記憶部２１９より広告データを読み出す。ステップＳ１０２において、再生装置２１１は、広告データの復調処理を行い、次いで、エラー訂正処理を施し、モニタ２１７やスピーカ２１８より出力する。このとき、抽出部２２３は、エラー訂正された広告データよりコンテンツデータの暗号化に用いられた暗号鍵を抽出する。
【０１４５】
ステップＳ１０３において、制御部２２６は、抽出部２２３が暗号鍵を抽出できたかどうかを判断し、暗号鍵を抽出することができたときステップＳ１０４に進み、暗号鍵を抽出することができなかったとき、ステップＳ１０６に進む。
【０１４６】
暗号鍵を抽出部２２３で抽出することができ、ディスク２００に暗号化されて記録されているコンテンツデータの再生が開始されると、ステップＳ１０４において、コンテンツデータは、ＲＦアンプ２１３で増幅され、復調部２１４で復調され、エラー訂正部２１５でエラー訂正処理がなされる。そして、ステップＳ１０４において、エラー訂正がなされたコンテンツデータは、暗号解読部２１６で、抽出部２２３より入力された暗号鍵で暗号解読され、モニタ２１７やスピーカ２１８に出力される。
【０１４７】
また、ステップＳ１０３において、抽出部２２３で暗号鍵を抽出することができなかった状態でディスク２００に暗号化されて記録されているコンテンツデータの再生を行うとき、制御部２２７は、再生しようとするコンテンツデータが暗号解読が必要であるか、すなわちコンテンツデータの再生に先立って広告データの再生が必要であるかを判断し、必要であるとき、ステップＳ１０７に進み、必要でないとき、ステップＳ１０１に戻る。
【０１４８】
ステップＳ１０７において、制御部２２７は、例えばモニタ２１７にコンテンツデータの再生に先立って広告データの再生が必要である等の警告表示を行う。
【０１４９】
なお、サーバ装置２３０は、暗号鍵を含む広告データをダウンロードするときに、課金処理を施すようにしてもよい。これによって、本システムでは、ディスク２００をユーザに対して頒布するとき、無料にしたり、通常価格より安くすることができる。
【０１５０】
ここで、広告データへの暗号鍵の埋め込みは、上記図７に示すように、広告データの所定フレーム画面Ｐの所定のラインデータｄをそのまま暗号化用データとして用いてもよく、また、上記図８に示すように、広告データの所定フレーム画面Ｐ全体のデータを暗号化用データとして用いてもよく、更に、上記図９に示すように、広告データの所定フレームの信号中の帰線消去期間中、すなわち表示画面Ｐの外側に位置する部分に暗号鍵ｄを埋め込むようにしてもよく、更にまた、全フレームに亘って該各フレーム画面Ｆの一部にデータ（暗号鍵の一部）ｄを埋め込むようにしてもよく、更にまた、上記図１１及び図１２に示すように、画像信号中の下位データに暗号鍵をウォーターマークを用いて埋め込むようにしてもよい。
【０１５１】
また、コンテンツデータの暗号化の方法としては、上記図１４に示すように、広告１〜広告４の４個の広告データに埋め込まれる暗号鍵の一又は複数を用いてコンテンツデータを暗号化するようにしてもよく、また、上記図１５に示すように、広告１〜広告４の４個の広告データに埋め込まれる暗号鍵を用いて、一方向性関数であるＨａｓｈ関数により１つの暗号鍵を生成して、その暗号鍵に基づいてコンテンツデータを暗号化するようにしてもよく、更に、上記図１６に示すように、広告データを他の広告データの暗号鍵に基づいて暗号化するようにしてもよく、更にまた、上記図１７に示すように、広告１〜広告４の各広告データに埋め込まれる暗号鍵により、４分割されるコンテンツデータＡのそれぞれ対応される領域Ａ（１）〜領域（４）を暗号化するようにしてもよい。
【０１５２】
以上の例によれば、広告や著作権管理情報等の必ず再生して欲しい情報を再生しないと、コンテンツデータ（本編又は本体）を正しく再生することができない。したがって、ユーザ対して、広告や著作権管理情報等を強制的に見せることができる。
【０１５３】
なお、以上の例では、コンテンツデータをディスク２００で提供し、広告データをサーバ装置２３０よりダウンロードする例を説明したが、本発明は、広告データ等の第２のコンテンツデータを光ディスク、光磁気ディスク、磁気ディスク、半導体メモリ等の記録媒体で配給するようにしてもよく、また、映画、ゲーム、音楽等の第１のコンテンツデータをサーバ装置２３０よりダウンロードするようにしてもよい。また、第１のコンテンツデータや第２のコンテンツデータは、無線放送、有線放送等を介して配信するようにしてもよい。
【０１５４】
【発明の効果】
本発明によれば、広告データを再生してコンテンツ秘匿用暗号鍵を入手して、入手したコンテンツ秘匿用暗号鍵に基づいてコンテンツの暗号を解除して再生するので、コンテンツデータに先行して必ず広告データが再生されるようになる。よって、データ記録媒体は、広告データが広告であるときには、コンテンツデータに先行して広告データを再生させることができるので、広告効果をより高めることができる。
【図面の簡単な説明】
【図１】記録装置についての第１の実施の形態の記録装置の構成を示すブロック図である。
【図２】実施の形態の記録装置における処理手順の概略を示すフローチャートである。
【図３】記録装置についての第２の実施の形態の記録装置の構成を示すブロック図である。
【図４】再生装置についての第１の実施の形態の再生装置の構成を示すブロック図である。
【図５】実施の形態の再生装置における処理手順の概略を示すフローチャートである。
【図６】再生装置についての第２の実施の形態の再生装置の構成を示すブロック図である。
【図７】画面の所定のラインデータが暗号鍵とされる場合の説明に使用した図である。
【図８】所定フレームの画面全体が暗号鍵とされる場合の説明に使用した図である。
【図９】所定フレームの信号中の帰線消去期間中、すなわち表示画像の外側に位置する部分が暗号鍵とされる場合の説明に使用した図である。
【図１０】各フレームの一部分であって、全フレームに亘って暗号鍵が埋め込まれる場合の説明に使用した図である。
【図１１】ウォーターマークにより暗号鍵を埋め込む場合の説明に使用した図である。
【図１２】画像信号のピーク位置に暗号鍵のデータ（暗号鍵の一部）を埋め込む場合の説明に使用した図である。
【図１３】複数の広告データとそれに対応される複数のコンテンツデータとから構成されるデータ形態を示す図である。
【図１４】複数の広告データの暗号鍵に基づいてコンテンツデータが暗号化される場合の説明に使用した図である。
【図１５】複数の広告データの暗号鍵から１つの暗号鍵を生成して、その１つの暗号鍵に基づいてコンテンツデータが暗号化される場合の説明に使用した図である。
【図１６】広告データが暗号鍵に基づいて暗号化される共に、コンテンツデータが暗号化されている場合の説明に使用した図である。
【図１７】複数の広告データの各暗号鍵に対応されてコンテンツデータが部分的に暗号化されている場合の説明に使用した図である。
【図１８】一般的なインターネットによって構築されるネットワークシステムを示す図である。
【図１９】本発明が適用されて可能とされたホームページの表示画面を示す図である。
【図２０】ホームページの表示手順を示すフローチャートである。
【図２１】ホームページの表示から暗号化部が解読表示されるまでの処理手順を示すフローチャートである。
【図２２】変速再生やスキップ再生が検出されたとき、暗号鍵に基づいた暗号解読を実行できないようにする再生装置の構成を示すブロック図である。
【図２３】広告付コンテンツの制作についての具体例の説明に使用した図である。
【図２４】本発明が適用された記録装置を説明するブロック図である。
【図２５】本発明が適用された再生装置を説明するブロック図である。
【図２６】サーバ装置に開設されたホームページを説明する図である。
【図２７】再生装置の動作を説明するフローチャートである。
【符号の説明】
１０  記録装置、１１  暗号鍵埋め込み部、１２  ＭＰＥＧ２エンコーダ、１３  暗号化部、１４  マルチプレクサ、１５  エラー訂正部、１６  変調部、１７  アンプ、１８  信号記録部、５０  再生装置、５１  信号再生部、５４  アンプ、５５  復調部、５６  エラー訂正部、５７  デマルチプレクサ、５８  バッファ、５９  暗号解読部、６０  暗号鍵抽出部、６１  制御部、６２  ＭＰＥＧ２デコーダ、６３  データ出力切換部、１００  サーバ、１０１  制御部、１０２  データ蓄積装置、１１０１〜１１０ｎ  端末、１１１  インターネット、１２１１〜１２１４  バナー広告、１２２  平文情報、１２３  暗号化情報部、１３１  広告データ再生モニタ、１３２  スイッチ
【図１】
0004810752.tif 000002
【図２】
0004810752.tif 000003
【図３】
0004810752.tif 000004
【図４】
0004810752.tif 000005
【図５】
0004810752.tif 000006
【図６】
0004810752.tif 000007
【図７】
0004810752.tif 000008
【図８】
0004810752.tif 000009
【図９】
0004810752.tif 000010
【図１０】
0004810752.tif 000011
【図１１】
0004810752.tif 000012
【図１２】
0004810752.tif 000013
【図１３】
0004810752.tif 000014
【図１４】
0004810752.tif 000015
【図１５】
0004810752.tif 000016
【図１６】
0004810752.tif 000017
【図１７】
0004810752.tif 000018
【図１８】
0004810752.tif 000019
【図１９】
0004810752.tif 000020
【図２０】
0004810752.tif 000021
【図２１】
0004810752.tif 000022
【図２２】
0004810752.tif 000023
【図２３】
0004810752.tif 000024
【図２４】
0004810752.tif 000025
【図２５】
0004810752.tif 000026
【図２６】
0004810752.tif 000027
【図２７】
0004810752.tif 000028